(57)【特許請求の範囲】
【請求項１】
並設されたワイヤの間隔でワークをスライスするワイヤ放電加工装置であって、
放電加工の状況を監視するカメラにより撮影され、並設されたワイヤにより放電加工された複数箇所の加工溝を含むワークの画像を取得する画像取得手段と、
前記取得した画像に含まれる複数箇所の加工溝の並び方に基づいて、前記並設されたワイヤの間隔のまま放電加工が進行しているか否かを判断する判断手段と、
前記判断手段により前記進行していないと判断される場合には、前記判断手段により前記進行していると判断される場合の放電加工の進行に関連する動作を停止または抑制するように制御する動作制御手段と、
を備え、
前記判断手段が並設されたワイヤの間隔のまま放電加工が進行していないと判断してから所定時間経過したあとの前記ワークの画像を前記画像取得手段が取得し、
前記所定時間経過したあとに取得した画像を用いて、前記並設されたワイヤの間隔のまま放電加工が進行しているか否かを再度解析する再解析手段と、
前記再度解析した結果に基づいて、ワイヤの間隔のまま放電加工が進行していないことによる加工不良が回復しているか否かを判断する回復判断手段と、
を備え、
前記回復判断手段が回復していると判断した場合には、前記動作制御手段により停止または抑制するように制御した放電加工の進行に関連する動作を正常復帰することを特徴とするワイヤ放電加工装置。
【請求項２】
前記取得されたワークの画像から、前記複数箇所の加工溝毎の加工状況にそれぞれ相当させた波形強度でパルス波形を生成し、前記加工状況の進行度に基づいた強度差を解析する波形強度生成手段と、
前記解析された強度差に基づいて、前記取得した画像に含まれる複数箇所の加工溝の並び方はワークが移動する方向に均一であるか否かを検出する加工遅れ検出手段と、
をさらに備え、
前記判断手段が前記加工遅れ検出手段による結果を用いて判断することを特徴とする請求項１に記載のワイヤ放電加工装置。
【請求項３】
前記取得されたワークの画像から、前記複数箇所の加工溝毎の加工状況にそれぞれ相当させた波形間隔でパルス波形を生成し、前記加工状況の進行度に基づいた間隔差を解析する波形間隔生成手段と、
前記解析された間隔差に基づいて、前記取得した画像に含まれる複数箇所の加工溝の並び方はワイヤが振動する方向に均一であるか否かを検出する加工ぶれ検出手段と、
をさらに備え、
前記判断手段が前記加工ぶれ検出手段による結果を用いて判断することを特徴とする請求項１または２に記載のワイヤ放電加工装置。
【請求項４】
前記回復判断手段が、ワイヤの間隔のまま放電加工が進行していないことによる加工不良が回復しているか否かを判断するための複数の異なる加工不良レベルが管理され、
前記異なる加工不良レベルに応じて前記動作制御手段が放電加工の進行に関連する動作を停止または抑制するように制御する制御種別を切り替えることを特徴とする請求項１に記載のワイヤ放電加工装置。
【請求項５】
前記回復判断手段が回復していないと判断した場合には、前記動作制御手段により停止または抑制するように制御した放電加工の進行に関連する動作を、異なる制御種別に切り替えることを特徴とする請求項１または請求項４に記載のワイヤ放電加工装置。
【請求項６】
並設されたワイヤの間隔でワークをスライスするワイヤ放電加工装置による制御方法で
あって、
前記ワイヤ放電加工装置の画像取得手段が、放電加工の状況を監視するカメラにより撮
影され、並設されたワイヤにより放電加工された複数箇所の加工溝を含むワークの画像を
取得する画像取得工程と、
前記ワイヤ放電加工装置の判断手段が、前記取得した画像に含まれる複数箇所の加工溝
の並び方に基づいて、前記並設されたワイヤの間隔のまま放電加工が進行しているか否か
を判断する判断工程と、
前記ワイヤ放電加工装置の動作制御手段が、前記判断工程により前記進行していないと
判断される場合には、前記判断工程により前記進行していると判断される場合の放電加工
の進行に関連する動作を停止または抑制するように制御する動作制御工程と、
を含み、
前記ワイヤ放電加工装置の画像取得手段が、前記判断工程で並設されたワイヤの間隔のまま放電加工が進行していないと判断してから所定時間経過したあとの前記ワークの画像を取得する画像取得工程と、
前記ワイヤ放電加工装置の再解析手段が、前記所定時間経過したあとに取得した画像を用いて、前記並設されたワイヤの間隔のまま放電加工が進行しているか否かを再度解析する再解析工程と、
前記ワイヤ放電加工装置の回復判断手段が、前記再度解析した結果に基づいて、ワイヤの間隔のまま放電加工が進行していないことによる加工不良が回復しているか否かを判断する回復判断工程と、
を含み、
前記回復判断工程で回復していると判断した場合には、前記動作制御工程において停止または抑制するように制御した放電加工の進行に関連する動作を正常復帰することを特徴とする制御方法。
【請求項７】
並設されたワイヤの間隔でワークをスライスするワイヤ放電加工装置で読み取り実行可能なプログラムであって、
前記ワイヤ放電加工装置を、
放電加工の状況を監視するカメラにより撮影され、並設されたワイヤにより放電加工された複数箇所の加工溝を含むワークの画像を取得する画像取得手段と、
前記取得した画像に含まれる複数箇所の加工溝の並び方に基づいて、前記並設されたワイヤの間隔のまま放電加工が進行しているか否かを判断する判断手段と、
前記判断手段により前記進行していないと判断される場合には、前記判断手段により前記進行していると判断される場合の放電加工の進行に関連する動作を停止または抑制するように制御する動作制御手段と、
して機能させ、
前記判断手段が並設されたワイヤの間隔のまま放電加工が進行していないと判断してから所定時間経過したあとの前記ワークの画像を前記画像取得手段が取得し、
前記所定時間経過したあとに取得した画像を用いて、前記並設されたワイヤの間隔のまま放電加工が進行しているか否かを再度解析する再解析手段と、
前記再度解析した結果に基づいて、ワイヤの間隔のまま放電加工が進行していないことによる加工不良が回復しているか否かを判断する回復判断手段と、
して機能させ、
前記回復判断手段が回復していると判断した場合には、前記動作制御手段により停止または抑制するように制御した放電加工の進行に関連する動作を正常復帰することを特徴とするプログラム。
【発明の詳細な説明】
【技術分野】
【０００１】
本発明は、ワイヤ放電加工装置及びその制御方法とプログラムの技術に関する。
【背景技術】
【０００２】
従来よりシリコンインゴットを多数の薄片にスライスするための装置としてワイヤソーが知られているが、近年ワイヤ放電加工技術を用いてワークを薄板にスライスする技術がある。
【０００３】
例えば、特許文献１には、巻取りスプールに隣接して配置されるカメラが撮影した画像を解析することによって、ワイヤの少なくとも１つの物理的状態の変化を検出する技術が開示されている。
【０００４】
例えば、特許文献２には、ワイヤカット放電加工装置に於いて、走行移動するワイヤ電極と通電子間の接触部を遮光状態に形成する暗室と、接触部で発生する放電光を受光して電気信号に変換する光電素子と、電気信号に応じて操作出力を出力する手段と、操作出力により作動する作動体とを備えることによって、放電光の発生を確実に検出することができる技術が開示されている。
【先行技術文献】
【特許文献】
【０００５】
【特許文献１】特開２０１３−９４９５９号公報
【特許文献２】特開平８−３３６７２８号公報
【発明の概要】
【発明が解決しようとする課題】
【０００６】
しかしながら特許文献１に開示された技術は加工溝の均一性を監視するものではない。
【０００７】
また、特許文献２に開示された技術のように放電光で検出した場合には、どの方向に放電加工が進行しているのかはわからず加工溝の均一性を監視するものではない。
【０００８】
本発明は、並設されたワイヤでワークを放電加工する場合には、並設されたワイヤ毎にそれぞれワークとの放電状態が変わることによりワイヤ毎にワークの加工溝の加工進行度が変わってしまうことがあり、このように加工進行度が変わってしまった場合に適切な制御を行うことが可能な仕組みを提供することを目的とする。
【課題を解決するための手段】
【０００９】
本発明は、並設されたワイヤの間隔でワークをスライスするワイヤ放電加工装置であって、放電加工の状況を監視するカメラにより撮影され、並設されたワイヤにより放電加工された複数箇所の加工溝を含むワークの画像を取得する画像取得手段と、前記取得した画像に含まれる複数箇所の加工溝の並び方に基づいて、前記並設されたワイヤの間隔のまま放電加工が進行しているか否かを判断する判断手段と、前記判断手段により前記進行していないと判断される場合には、前記判断手段により前記進行していると判断される場合の放電加工の進行に関連する動作を停止または抑制するように制御する動作制御手段と、を備え、前記判断手段が並設されたワイヤの間隔のまま放電加工が進行していないと判断してから所定時間経過したあとの前記ワークの画像を前記画像取得手段が取得し、前記所定時間経過したあとに取得した画像を用いて、前記並設されたワイヤの間隔のまま放電加工が進行しているか否かを再度解析する再解析手段と、前記再度解析した結果に基づいて、ワイヤの間隔のまま放電加工が進行していないことによる加工不良が回復しているか否かを判断する回復判断手段と、を備え、前記回復判断手段が回復していると判断した場合には、前記動作制御手段により停止または抑制するように制御した放電加工の進行に関連する動作を正常復帰することを特徴とする。
【００１０】
また、前記取得されたワークの画像から、前記複数箇所の加工溝毎の加工状況にそれぞれ相当させた波形強度でパルス波形を生成し、前記加工状況の進行度に基づいた強度差を解析する波形強度生成手段と、前記解析された強度差に基づいて、前記取得した画像に含まれる複数箇所の加工溝の並び方はワークが移動する方向に均一であるか否かを検出する加工遅れ検出手段と、をさらに備え、前記判断手段が前記加工遅れ検出手段による結果を用いて判断することを特徴とする。
【００１１】
また、前記取得されたワークの画像から、前記複数箇所の加工溝毎の加工状況にそれぞれ相当させた波形間隔でパルス波形を生成し、前記加工状況の進行度に基づいた間隔差を解析する波形間隔生成手段と、前記解析された間隔差に基づいて、前記取得した画像に含まれる複数箇所の加工溝の並び方はワイヤが振動する方向に均一であるか否かを検出する加工ぶれ検出手段と、をさらに備え、前記判断手段が前記加工ぶれ検出手段による結果を用いて判断することを特徴とする。
【００１３】
また、前記回復判断手段が、ワイヤの間隔のまま放電加工が進行していないことによる加工不良が回復しているか否かを判断するための複数の異なる加工不良レベルが管理され、前記異なる加工不良レベルに応じて前記動作制御手段が放電加工の進行に関連する動作を停止または抑制するように制御する制御種別を切り替えることを特徴とする。
【００１４】
また、前記回復判断手段が回復していないと判断した場合には、前記動作制御手段により停止または抑制するように制御した放電加工の進行に関連する動作を、異なる制御種別に切り替えることを特徴とする。
【発明の効果】
【００１５】
本発明により、並設されたワイヤでワークを放電加工する場合には、並設されたワイヤ毎にそれぞれワークとの放電状態が変わることによりワイヤ毎にワークの加工溝の加工進行度が変わってしまうことがあり、このように加工進行度が変わってしまった場合に適切な制御を行うことが可能な仕組みを提供することが可能となる。
【図面の簡単な説明】
【００１６】
【図１】本発明のワイヤ放電加工システムを正面から見た図である。
【図２】本発明のワイヤ放電加工装置を正面から見た拡大図である。
【図３】本発明における極間状態（電圧と電流）と、加工電源のパルス（ＯＮ／ＯＦＦ）周期を示したものである。
【図４】本発明における電気回路と各種部品の配置を示した図である。
【図５】本発明における電気回路と各種部品の配置を示した図である。
【図６】本発明のワイヤ放電加工装置におけるワイヤ電極と被加工物間の放電状況を監視するための構成図を示した図である。
【図７】複数の加工電極ワイヤの内１本だけ加工の進行が遅れたときの状態を観察点ｂ側から監視した画像情報の一例を示した図である。
【図８】正常時の加工進行状況とその時の変化するパルス列信号（濃淡データ）を関連づけた図である。
【図９】加工遅れ発生時の加工進行状況とその時の変化するパルス列信号（濃淡データ）を関連づけた図である。
【図１０】ワイヤぶれ時発生時の加工進行状況とその時の変化するパルス列信号（濃淡データ）を関連づけた図である。
【図１１】本発明の加工状況の監視処理の流れを示すメインフローチャートを示した図である。
【図１２】本発明の画像解析フローチャートを示した図である。
【図１３】本発明の制御コンピュータのハードウエア構成を示した図である。
【図１４】従来技術であるワイヤ毎に個別に給電する方式における電気回路を示した図である。
【図１５】本発明の加工遅れ発生時の電源装置の対応処理を示すフローチャートを示す図である。
【図１６】本発明の加工ぶれ発生時のワイヤ放電加工装置の対応処理を示すフローチャートを示す図である。
【発明を実施するための形態】
【００１７】
図１を説明する。図１は、本発明の実施の形態に係るワイヤ放電加工装置１を前方から見た外観図である。尚、図１に示す各機構の構成は一例であり、目的や用途に応じて様々な構成例があることは言うまでもない。
【００１８】
図１は本発明におけるワイヤ放電加工システム（半導体基板または太陽電池基板の製造システム）の構成を示す。ワイヤ放電加工システムは、ワイヤ放電加工装置１、電源装置２、加工液供給装置５０から構成されている。ワイヤ放電加工システムは、並設された複数本のワイヤの間隔で放電により被加工物を薄片にスライスすることができる。
【００１９】
ワイヤ放電加工装置１には、サーボモータにより駆動されるワーク送り装置３がワイヤ１０３の上部に設けられ上下方向にワーク１０５を移動できる。本発明ではワーク１０５が下（重力）方向に送られ、ワーク１０５とワイヤ１０３の間で放電加工がおこなわれる。なお、本明細書において、上下とは重力方向における上方向と下方向にそれぞれ対応し、左右とはワイヤ放電加工装置を正面から見た場合の左及び右にそれぞれ対応する。
【００２０】
電源装置２には、サーボモータを制御する放電サーボ制御回路が放電の状態に応じて効率よく放電を発生させるために放電ギャップを一定の隙間に保つように制御し、またワーク位置決めを行い、放電加工を進行させる。
【００２１】
加工電源回路（図４）は、放電加工のための放電パルスをワイヤ１０３へ供給するとともに、放電ギャップで発生する短絡などの状態に適応する制御を行いまた放電サーボ制御回路への放電ギャップ信号を供給する。
【００２２】
加工液供給装置５０は、放電加工部の冷却、加工チップ（屑）の除去に必要な加工液をポンプによりワーク１０５とワイヤ１０３へ送液すると共に、加工液中の加工チップの除去、イオン交換による電導度（１μＳ〜２５０μＳ）の管理、液温（２０℃付近）の管理を行う。おもに水が使用されるが、放電加工油を用いることもできる。
【００２３】
メインローラ８，９には、ワークを所望する厚さで加工出来るようにあらかじめ決められたピッチ、数で溝が形成されており、ワイヤ供給ボビンからの張力制御されたワイヤが２つのメインローラに必要回数巻きつけられ、巻き取りボビンへ送られる。ワイヤ速度は１００ｍ／ｍｉｎから９００ｍ／ｍｉｎ程度が用いられる。２つのメインローラが同じ方向でかつ同じ速度で連動して回転することにより、ワイヤ繰出し部から送られた１本のワイヤ１０３がメインローラ（２つ）の外周を周回し、並設されている複数本のワイヤ１０３を同一方向に走行させることができる（すなわち走行手段となる）。
【００２４】
ワイヤ１０３は図５に示すように、１本の繋がったワイヤであり、図示しないボビンから繰り出され、メインローラの外周面のガイド溝（図示しない）に嵌め込まれながら、当該メインローラの外側に多数回（最大で２０００回程度）螺旋状に巻回された後、図示しないボビンに巻き取られる。
ワイヤ放電加工装置１は、電源ユニット２と電線５１３を介して接続されており、電源ユニット２から供給される電力により作動する。
【００２５】
ワイヤ放電加工装置１は、図１に示すように、ワイヤ放電加工装置１の土台として機能するブロック１５と、ブロック１５の上部の中に設置されている、ワーク送り装置３と、接着部４と、ワーク１０５と、加工液槽６と、メインローラ８と、ワイヤ１０３と、メインローラ９と、給電子ユニット１０と、給電子１０４と、を備えている。
図２を説明する。図２は、図１に示す点線１６枠内の拡大図である。
【００２６】
メインローラ８，９にはワイヤ１０３が複数回巻きつけられており、メインローラに刻まれた溝に従い、所定ピッチでワイヤ１０３が整列している。メインローラは中心に金属を使用し、外側は樹脂で覆う構造である。
【００２７】
２つのメインローラの間であって、メインローラ８，９の内部のほぼ中央部の上の位置には、給電子ユニット１０に取り付けられた給電子１０４が配置され、給電子１０４は、上向きに露出する表面をワイヤに接触させることで走行する複数本のワイヤ１０３に加工電圧を一括して給電する。
【００２８】
給電子１０４はワイヤ１０３の１０本と一括接触することで、加工電源部からの放電パルス５０３（図３）を１０本のワイヤに供給している。給電子１０４が配置される位置は、ワーク１０５の両端からのワイヤの長さがほぼ等しくなる（５１１Ｌ１＝５１１Ｌ２）位置に設けてある。給電子１０４には、機械的摩耗に強く、導電性があることが要求され超硬合金が使用されている。
【００２９】
２つのメインローラの間であって、メインローラ８，９の内部のほぼ中央部の下の位置には、ワーク送り装置３に取付けたワーク１０５を配置し、ワーク送り装置３がワーク１０５を下方向に送り出すことでスライス加工が進行する。
【００３０】
メインローラの下の位置に加工液槽６を設け、ワイヤ１０３およびワーク１０５を浸漬し、放電加工部の冷却、加工チップの除去を行う。加工液槽６は加工液を貯留し、送り出されたワークを浸漬するためのものである。
【００３１】
ワイヤ１０３の本数を１０本に対して一括接触する給電子１０４を１個で示しているが、給電子あたりのワイヤ本数や給電子の総数を必要数に応じて変更できることは言うまでもない。
ブロック１５は、ワーク送り装置３と接合されている。また、ワーク送り装置３は、ワーク１０５と接着部４により接着（接合）されている。
本実施例では、加工材料（ワーク１０５）として、シリコンインゴットを例に説明する。
接着部４は、ワーク送り装置３と、ワーク１０５とを接着（接合）するためのものであれば何でもよく、例えば、電導性の接着剤が用いられる。
【００３２】
ワーク送り装置３は、接着部４により接着（接合）されているワーク１０５を上下方向に移動する機構を備えた装置であり、ワーク１０５を保持した状態でワーク送り装置３が下方向（重力方向）に移動することにより、ワーク１０５をワイヤ１０３の方向に近づけることが可能となる。ワーク送り装置３は給電子１０４よりも低い位置に配置されている。保持するワーク１０５が加工液に浸漬されるように、ワーク送り装置３は、ワーク１０５を、メインローラ８，９を周回するワイヤに接近する方向に送り出している。
【００３３】
加工液槽６は、加工液を貯留するための容器であり複数のメインローラ８，９を周回するワイヤの外側に配置されている。加工液は、例えば、抵抗値が高い脱イオン水である。ワイヤ１０３と、ワーク１０５との間に、加工液が設けられることにより、ワイヤ１０３と、ワーク１０５との間で放電が起き、ワーク１０５を削ることができる。
【００３４】
メインローラ８、９には、ワイヤ１０３を巻き付けるための溝が複数列形成されており、その溝にワイヤ１０３が巻き付けられている。そして、メインローラ８、９が右又は左回転することにより、ワイヤ１０３が走行する。また、図２に示すように、ワイヤ１０３は、メインローラ８、９に巻き付けられ、メインローラ８、９の上側、及び下側にワイヤ列を形成している。
【００３５】
また、ワイヤ１０３は、伝導体であり、電源装置２から電圧が供給された給電子ユニット１０の給電子１０４と、ワイヤ１０３とが接触することにより、当該供給された電圧が給電子１０４からワイヤ１０３に印加される。すなわち、給電子１０４がワイヤ１０３に電圧を印加する。
【００３６】
そして、ワイヤ１０３と、ワーク１０５との間で放電が起きてワーク１０５を削り（放電加工）、薄板状のシリコン（シリコンウエハ）を作成することができる。
【００３７】
図３を説明する。図３は、本発明の極間での放電電圧（Ｖｇｎ）及び極間での放電電流（Ｉｇｎ）の変化とＴｒ１、Ｔｒ２のＯＮ／ＯＦＦ動作（タイミングチャート）を示す。グラフの横軸は時間を示す。
【００３８】
まずトランジスタＴｒ１ ５０４をＯＮし、誘発電圧を印加する。このときワイヤ１０３とワーク１０５間（極間）は絶縁されているため、ほとんど極間での放電電流は流れない。その後、極間での放電電流が流れ始めて放電を開始するとＶｇｎが電圧降下することで、放電開始が検出されてＴｒ２をＯＮにし、大きな極間での放電電流を得る。所定時間経過後にＴｒ２をＯＦＦする。Ｔｒ２のＯＦＦから所定時間経過した後に再び一連の動作を繰り返す。
【００３９】
図４を説明する。図４は本発明における複数本のワイヤ（１０本）に一括で加工電圧を給電する一括給電方式での電気回路２とワイヤ放電加工装置１との関係を示す。加工電流であるワイヤ電流と極間での放電電流が流れている状態が示されている。図４は、図５に示す電気回路２との等価回路を示している。
【００４０】
仮に図１４に示す従来方式の電気回路４００を、複数本のワイヤ（１０本）に一括で加工電圧を給電する一括給電方式での電気回路にそのまま導入したとすれば、加工電源部から給電点の間にて加工電流を制御するために、複数本のワイヤ（１０本）に供給されるワイヤ電流の合計（１０倍）の加工電流が供給されるように、Ｒｍをメインローラ８、９を巻回する周回数（１０回）で割った抵抗値である電流制限抵抗体を加工電源部から給電点との間に設置すればよい。まず、このようにＲｍ／１０に固定された抵抗値を持つ電流制限抵抗体を加工電源部から給電子との間に設置した場合を説明する。
【００４１】
１０本全てのワイヤとワークとの間で放電状態が均一にかつ同時に起こった場合には、１０本のワイヤで放電電流が均等に分散され、固定された抵抗値（Ｒｍ／１０）に応じた放電電流が各ワイヤとワークとの間に供給されるので、過剰な放電電流の供給は問題とならない。
【００４２】
しかしながら、１０本全てのワイヤとワークとの間で放電状態が均一にかつ同時に起こらなかった場合には、固定された抵抗値（Ｒｍ／１０）に応じたワイヤ電流が、放電状態になったワイヤとワークとの間に集中して供給されるので、過剰なワイヤ電流の供給が問題となる。つまり、１０本の中で１本のみが放電状態になった場合には、本来１本のワイヤとワークに供給されるべきワイヤ電流の１０倍のワイヤ電流が、放電状態になっているワイヤとワークに供給され、ワイヤが断線してしまう。
【００４３】
配線５１３はインピーダンス（抵抗）５０５を有する、加工電源部（Ｖｍｎ）マイナス側に接続する上り用のケーブルである。配線５１３は、加工電源部（Ｖｍｎ）から給電子１０４に加工電圧を供給する。配線５１４はインピーダンス（抵抗）５２０を有する、加工電源部（Ｖｍｎ）プラス側に接続する下り用のケーブルである。
【００４４】
本発明の配線５１３の抵抗値Ｒｍｎ５０５は従来方式の加工電流制限抵抗体のように抵抗値を所定の値に固定するものではなく、本実施形態におけるワイヤ放電加工装置は、１０本の中で１本のみが放電状態になった場合であっても、放電状態となった本数に応じて抵抗値が変動するように制御できる機構を備えている。
【００４５】
さらに、本発明の抵抗値Ｒｍｎ５０５がワイヤ抵抗Ｒｗｎ５０９と比べて十分に小さな抵抗値になる範囲で用いることで、加工電流を制限するにあたってワイヤ抵抗Ｒｗｎ５０９の方が支配的になり、抵抗値Ｒｍｎ５０５の影響はほぼ無視することができる。
【００４６】
つまり、加工電源部５０１から給電子１０４までの間に流れ、極間ではワーク１０５に放電する放電電流となる加工電流の上限を制限する電流制限抵抗体を備えなくてもよい。または、Ｒｍｎをメインローラ８、９を巻回する周回数（１０回）で単純に割った抵抗値よりもさらに小さい抵抗値にすればよい。
【００４７】
つまり各ワイヤの抵抗Ｒｗｎ５０９であるインピーダンスを利用することで、各ワイヤのワイヤ電流Ｉｗｎが安定して供給されるので、ワイヤ電流の集中が起こらなくすることができる。抵抗（Ｒｗｎ）５０９はワイヤ１本毎のワイヤによる抵抗である。
【００４８】
ここで給電子１０４から放電部までのワイヤ抵抗値とは、走行するワイヤ（１本）の給電子１０４と接触してから放電部までのワイヤの長さよる抵抗である。例えば、ワイヤ１０本（メインローラ８、９を１０周巻回する）に一括で給電する場合の各ワイヤ抵抗をそれぞれＲｗ１、Ｒｗ２、…、Ｒｗ１０とする。
【００４９】
従来方式のようにＲｍを１本毎のワイヤ電流（Ｉｗ）や放電電流（Ｉｇ）を制限する抵抗とするのではなく、Ｒｗｎを１本毎のワイヤ電流（Ｉｗ）や放電電流（Ｉｇ）を制限する抵抗とすることで、１本毎のワイヤ電流（Ｉｗｎ）や放電電流（Ｉｇｎ）を制限することができる。つまり給電点（給電子）と放電点（放電部）との距離（長さＬ）を変えることで任意の抵抗値に設定することができる。つまりＶｍｎ＝６０Ｖ、Ｖｇｎ＝３０Ｖ、Ｒｗｎ＝１０Ωとした場合には、Ｉｗｎ（Ｉｇｎ）＝（６０Ｖ−３０Ｖ）／１０Ω＝３Ａとなる。
【００５０】
なお、上記の計算式では、ワイヤ抵抗（Ｒｗｎ）による給電点から放電点までの電圧降下を３０Ｖとしたが、加工電源部から給電点までの電圧降下を起こす抵抗（Ｒｍｎ）による給電点から放電点までの電圧降下は考慮していない。
【００５１】
つまり本発明である一括給電方式の場合にはＩｗｎは、Ｒｗｎにより決定されるので、１本毎に所望のワイヤ電流（Ｉｗｎ）や放電電流（Ｉｇｎ）を得るためには、加工電源部から給電点までの電圧降下を起こす抵抗ＲｍｎがＲｍｎ＜Ｒｗｎの関係になるように設定される。
【００５２】
また各ワイヤ個別のワイヤ抵抗Ｒｗｎは（１）ワイヤの材質による電気抵抗値ρ、（２）ワイヤの断面積Ｂ、（３）ワイヤの長さＬ、の３つのパラメータからＲｗｎ＝（ρ×Ｂ）／Ｌの関係式によりで定めることができる。
【００５３】
加工電源部５０１は加工電圧Ｖｍｎを供給する。ここでＶｍｎは放電加工に必要な加工電流を供給するために設定される加工電圧である。Ｖｍｎは任意の加工電圧に設定することができる。さらに従来方式よりも加工電流の供給量が大きくなるので、加工電源部５０１は加工電源部４０１と比べると大きな電力（加工電圧と加工電流の積）を供給する。加工電源部５０１は給電子１０４に加工電圧（Ｖｍｎ）を供給する。
【００５４】
加工電源部５０２は誘導電圧Ｖｓｎを供給する。ここでＶｓｎは放電を誘発するために設定される誘発電圧である。加工電源部５０２は、さらにワイヤとワークとの間にて放電電圧（放電電流）の状態をモニターし、ワーク送り装置３の制御に利用する目的にも使用される。Ｖｓｎは任意の誘発電圧に設定することができる。さらに従来方式よりも誘発電流の供給量が大きくなるので、加工電源部５０２は加工電源部４０２と比べると大きな電力を供給する。加工電源部５０２は給電子１０４に誘発電圧Ｖｓｎを供給する。
【００５５】
トランジスタ（Ｔｒ２）５０３は、加工電圧ＶｍｎのＯＮ（導通）状態とＯＦＦ（非導通）状態をスイッチングで切り替える。トランジスタ（Ｔｒ１）５０４は、誘発電圧ＶｓｎのＯＮ（導通）状態とＯＦＦ（非導通）状態をスイッチングで切り替える。
【００５６】
極間での放電電圧（Ｖｇｎ）５０７は、放電中にワイヤ１０３とワーク１０５との間に印加される電圧である。例えば、ワイヤ１０本に一括で給電する場合の各放電電圧をそれぞれＶｇ１、Ｖｇ２、…、Ｖｇ１０とする。
【００５７】
放電によりワイヤ１０３とワーク１０５との間に放電極間電圧が印加される部分が放電部である。放電部において、走行する複数本のワイヤと給電子との接触により走行する複数本のワイヤに一括で給電された加工電圧をワークに放電する。
【００５８】
極間での放電電流（Ｉｇｎ）５０８は、放電中にワイヤ１０３とワーク１０５との間に流れる電流である。例えば、ワイヤ１０本に一括で給電する場合の各放電電流をそれぞれＩｇ１、Ｉｇ２、…、Ｉｇ１０とする。
【００５９】
放電によりワイヤ１０３とワーク１０５との間に放電電流が流れる部分が放電部である。放電部において、走行する複数本のワイヤと給電子との接触により走行する複数本のワイヤに一括で給電された加工電圧をワークに放電する。
【００６０】
ワイヤ電流（Ｉｗｎ）５１０はワイヤ１本毎に個別に供給される。例えば、ワイヤ１０本に一括で給電する場合の各ワイヤ電流をそれぞれＩｗ１、Ｉｗ２、…、Ｉｗ１０とする。
給電点から放電点までの距離Ｌ ５１１は給電点（給電子）から放電点（ワーク）までのワイヤの長さである。
【００６１】
図５を説明する。図５は本発明における複数本のワイヤ（１０本）に一括で加工電圧電流を給電する一括給電方式の電気回路２により複数本のワイヤに一括給電していることを示す。なお、図５に示すワイヤ放電加工装置１の構成の配置は図１及び２に示すワイヤ放電加工装置１の構成の配置と異なっているが、それぞれ電気的な構成は同様であることに留意されたい。
【００６２】
給電子１０４は走行する複数本のワイヤに一括で接触する。ワーク１０５と対向する位置に設けた、１ヶ所の給電子１０４から放電パルスを印加し、放電加工を行う。メインローラを巻回するワイヤ１０３の本数（１０本）に対して１つの電源回路２が接続されている。以下、図５の配置を参照して、ワイヤに流れる加工電流（各ワイヤ電流の合計）を説明する。
【００６３】
図５に示すように、給電点（給電子１０４とワイヤ１０３が接触する位置）から放電点（ワイヤ１０３とワーク１０５との間）に流れるワイヤ電流は左右のメインローラの２方向に流れるので、各方向に対するワイヤ抵抗が存在している。長さ５１１Ｌ１は電流が左のメインローラ方向に流れた場合の給電点と放電点との長さ（距離）であり、該長さがＬ１の場合に定まるワイヤ抵抗をＲｗ１ａとする。長さ５１１Ｌ２は電流が右のメインローラ方向に流れた場合の、放電点と給電点との長さ（距離）であり、該長さがＬ２の場合に定まるワイヤ抵抗をＲｗ１ｂとする。
【００６４】
ワイヤ１０３がメインローラ８、９を１周巻回する長さを２ｍとする。給電子１０４とワーク１０５とは、１周巻回する長さのほぼ半分の距離に配置されているので、放電点と給電点との距離（ワイヤの長さＬ）を１ｍである。ここで、給電子から放電部までを走行するワイヤの距離は０．５ｍよりも長ければよい。
【００６５】
ワイヤ１０３の材質の主成分は鉄であり、ワイヤの直径は０．１２ｍｍ（断面積０．０６×０．０６×πｍｍ２）である。ワイヤの抵抗値Ｒｗ１ａ、Ｒｗ１ｂはそれぞれ、ワイヤの長さが同じ長さ（Ｌ１＝Ｌ２＝１ｍ）であるので各々のワイヤ抵抗値を同一の２０Ω程度とすれば、Ｒｗ１ａとＲｗ１ｂによる１本（メインローラ８、９を１周巻回する）の合成のワイヤ抵抗値は１０Ω程度となる。
【００６６】
また、図５のようにＬ１及びＬ２の長さによるワイヤ抵抗値を同じ抵抗値にするために、Ｌ１とＬ２の長さが同じになるように給電子１０４を配置することが好ましいが、Ｌ１とＬ２の長さの違いが１０％程度（例えばＬ１が１ｍでＬ２が１．１ｍ）異なるように給電子１０４を配置しても特に問題はない。放電電圧Ｖｇ１〜Ｖｇ１０がほぼ等しい場合、ＶｍｎがそれぞれのＲｗ１〜Ｒｗ１０に印加されているので、Ｉｗ１〜Ｉｗ１０は全て同じワイヤ電流である。ここでワイヤ抵抗による電圧降下値（Ｒｗ１×Ｉｗ１）と放電電圧（Ｖｇｎ）からＶｍｎを求める。給電子１０４から放電部までの電圧降下は走行するワイヤの抵抗による電圧降下である。
【００６７】
Ｒｗ１＝１０Ω（給電子１０４から放電部までの抵抗値）。Ｉｗ１＝３Ａ、Ｖｇｎ＝３０Ｖとすれば、Ｖｍｎは以下のようになる。Ｖｍｎ＝１０（Ω）×３（Ａ）＋３０Ｖ＝６０Ｖ。よって給電子から放電部までの電圧降下は１０Ｖよりも大きく、給電子から放電部までの抵抗値は１Ωよりも大きければよい。尚、Ｒｗｎ＝（ρ×Ｂ）／Ｌの関係式により、ワイヤのパラメータによりワイヤ抵抗による電圧降下値を設定してもよい。
【００６８】
よって、１０本全てのワイヤとワークとの間で放電状態が均一にかつ同時に起こった場合のＲｍｎを計算すると、全てのワイヤで放電状態となり１０本のワイヤにＩｗ１＝３Ａが流れている場合は、加工電源部から給電点との間では全体で１０本×３Ａ＝３０Ａの加工電流が必要となり、この加工電源部から給電点との間の電圧降下をＶｍｎの１００分の１（０．６Ｖ）とすれば、この場合のＲｍｎは以下のようになる。加工電源部から給電子１０４までの電圧降下は１Ｖよりも小さく、加工電源部から給電子までの電圧降下は、給電子から放電部までの電圧降下よりも小さければよい。Ｒｍｎ（加工電源部５０１から給電子１０４までの抵抗値）＝０．６Ｖ／３０Ａ＝０．０２Ω。よって加工電源部から給電子までの抵抗値は０．１Ωより小さく、加工電源部から給電子までの抵抗値は、給電子から放電部までの抵抗値よりも小さければよい。また、加工電源部から給電子１０４までの電圧降下と給電子１０４から放電部までの電圧降下との比は１０倍以上である。さらに、加工電源部から給電子１０４までの抵抗値と給電子から放電部までの抵抗値との比が１０倍以上である。ここで、Ｒｍｎを考慮して１０本の加工電流をもとめると（６０Ｖ−３０Ｖ）／（（１０Ω／１０本）＋０．０２Ω）＝２９．４１Ａとなり、ワイヤ１本当たりの加工電流は２．９４１Ａとなる。
【００６９】
また、１０本全てのワイヤとワークとの間で放電状態が均一にかつ同時に起こらなかった場合に１本のワイヤ電流が流れたとしても、ワイヤ１本当たりの加工電流は（６０Ｖ−３０Ｖ）／（１０Ω＋０．０２Ω）＝２．９９４Ａとなり、１０本全てのワイヤとワークとの間で放電状態が均一にかつ同時に起こった場合と比べても大きな差は生じない。
【００７０】
また更なる効果として、複数本であるＮ本（メインローラ８、９をＮ周巻回する）のワイヤに１箇所（一括）で給電する場合には、１本のワイヤ毎に個別に給電したときの加工速度に比べて加工速度が１／Ｎとなるが，本発明によれば、Ｎ本のワイヤへ１箇所（一括）で給電した場合においても１本のワイヤへ個別に給電したときと同等の加工速度を維持することができる。
図６を説明する。図６は、本発明のワイヤ放電加工装置１におけるワイヤ電極と被加工物間の放電状況を監視するための構成図である。
【００７１】
被加工物（ワーク）とワイヤ電極間の放電（加工部分）を監視できる場所は、ワイヤ電極がワークに接近する側（観察点a）とワイヤ電極がワークから離れる側（観察点b）およびワイヤ電極がワークを加工している領域（観察点c）の３箇所存在する。
９０１aは観察点aに設置される監視カメラであり、放電加工されるワークの加工溝の映像（画像）をリアルタイムで監視する。
９０１ｂは観察点ｂに設置される監視カメラであり、放電加工されるワークの加工溝の映像（画像）をリアルタイムで監視する。
９０１ｃは観察点ｃ（水中）に設置される監視カメラであり、放電加工されるワークの加工溝の映像（画像）をリアルタイムで監視する。
【００７２】
この内、観察点ａまたはｂのいずれか１点または２点を観察することにより、複数のワイヤによる加工の進行状況を把握することができる。さらに観察点Ｃを観察することにより外部から見えないワーク内部の加工状態も把握することができる。
【００７３】
撮像／受光素子としてはＣＣＤやＣＭＯＳ等のカメラを直接もしくは光ファイバー等を介して設置して画像として情報を取り込む手段として撮像／受光素子９０１ａ、９０１ｂ、９０１ｃを観察点ａ、ｂ、ｃのワークとワイヤ電極間の放電状態を監視する位置にそれぞれ固定し、放電加工中の画像情報を常時解析（画像処理）システムに供給する。
【００７４】
１０３ｚは複数の加工電極であるワイヤ１０３の内で１本だけが加工の進行が遅れたときの状態を示した一例で、本例では１本の進行が遅いため加工溝の長さが他の溝より浅くなっている。
【００７５】
また、図６は観察点Ｂに対して直角方向から見た図で、進行の遅いワイヤ１０３ｚはここまま遅れ方が大きくなると正常なワイヤ位置と比べて下方に押し下げられ、加工ワーク１０５と接触してしまうため断線してしまう。
【００７６】
図７を説明する。図７は、複数の加工電極ワイヤ１０３の内１本だけ加工の進行が遅れたときの状態を観察点ｂ側から監視した画像情報の一例で、本例では左から３本目のワイヤである１０３ｚの進行が遅いため加工溝の長さが他の溝よりも短くなっている。
【００７７】
図８を説明する。図８は、図１２の画像解析フローチャートにおいて、各ワイヤの加工先端近傍の取得画像を解析して加工された溝の形状を二次元スキャンして得られた電気信号を二値化処理したものである。この二値化処理された濃淡データのＸ軸は加工溝の有り無しでありＹ軸は加工溝の有りの長さである。正常な加工時には加工進行状況に応じて（１）のように変化するパルス列信号（濃淡データ）が得られる。（１）のように濃淡データのＸ軸とＹ軸の位置のパルス波形が常時均一であるので正常(均一)であると判断される。
【００７８】
図９を説明する。図９は、図１２の画像解析フローチャートにおいて、各ワイヤの加工先端近傍の取得画像を解析して加工された溝の形状を二次元スキャンして得られた電気信号を二値化処理したものである。この二値化処理された濃淡データのＸ軸は加工溝の有り無しでありＹ軸は加工溝の有りの長さである。加工遅れ時には加工進行状況に応じて（２）のように変化するパルス列信号（濃淡データ）が得られる。（２）のように濃淡データのＹ軸の位置のパルス波形が不均一であるので異常(加工遅れ)であると判断される。
【００７９】
図１０を説明する。図１０は、図１２の画像解析フローチャートにおいて、各ワイヤの加工先端近傍の取得画像を解析して加工された溝の形状を二次元スキャンして得られた電気信号を二値化処理したものである。この二値化処理された濃淡データのＸ軸は加工溝の有り無しでありＹ軸は加工溝の有りの長さである。ワイヤぶれ時発生時には加工進行状況に応じて（３）のように変化するパルス列信号（濃淡データ）が得られる。（３）のように濃淡データのＸ軸の位置のパルス波形が不均一であるので異常（ワイヤぶれ）であると判断される。
図１１を説明する。図１１は、本発明の加工状況の監視処理の流れを示すメインフローチャートである。
【００８０】
ステップＳ１０１では、ワイヤ放電加工装置１は撮像／受光素子からの画像情報を取込む。つまりワイヤ放電加工装置１はワーク１０５の近傍に配置された監視カメラ９０１により撮影され、複数本のワイヤにより加工された複数箇所の加工溝を含むワーク画像を所定の間隔（例えば１０秒間隔で1枚撮影）で順次取得する（画像取得手段）。
【００８１】
つまりここでは、放電加工の状況を監視するカメラにより撮影され、並設されたワイヤにより放電加工された複数箇所の加工溝を含んだワークの画像を取得している。
ステップＳ１０２では、ワイヤ放電加工装置１は図１２の画像解析（画像処理）のフローチャートで変換・解析されて正常／異常の判断を行う。
【００８２】
ステップＳ１０３では、ワイヤ放電加工装置１はＳ１０２での判断結果に基づいて、電源装置２が実行するワーク送り関連する制御や加工電源に関連する制御に対して異常対応処理を行う。なおステップＳ１０３の詳細な説明を図１５で行う。
【００８３】
ステップＳ１０４では、ワイヤ放電加工装置１はＳ１０２での判断結果に基づいて、ワイヤ放電加工装置１が実行するワイヤの走行に関連する制御に対して異常対応処理を行う。なおステップＳ１０４の詳細な説明を図１６で行う。
図１２を説明する。
図１２は、本発明の画像解析フローチャートであり、図８〜図１０は取得画像とその取得画像から正常／異常の解析用に変換されたパルス信号の一例である。
【００８４】
撮像／受光素子をカメラとした場合、画像解析フローチャートは入手したデータを取得後即時に解析し、放電加工溝の並び方（ＸまたはＹ方向）をあらかじめ記憶している正常パターン画像における加工溝の並び方と比較（画像マッチング）して、放電の状況が正常／異常かを判断する。また、各ワイヤ電極が放電により発光するＸ，Ｙ座標を、取得した二次元画像内の加工溝放電光のＸ，Ｙ座標情報として解析し、加工溝の並び方を特定して図７のように加工遅れワイヤ１０３ｚによる加工溝の遅れや横ずれを検出してもよい。
【００８５】
ステップＳ２００では、ワイヤ放電加工装置１は加工溝の状態監視を継続するかを判断するために、加工が無事終了した加工が終了したかを判断する。加工が終了していない（いいえ）した場合にはＳ２０１に進む。加工が終了したと判断（はい）した場合にはＳ２０８に進む。
ステップＳ２０１では、ワイヤ放電加工装置１はＳ１０１で取得した画像の上述の二値化処理を行う。
【００８６】
二値化処理ではまず、ワイヤ放電加工装置１は取得されているワーク画像毎に、複数箇所の加工溝の加工状況にそれぞれ相当するパルス波形中の波形強度に高低差（Ｙ軸のピーク高低）を生成する（波形強度生成手段）。
【００８７】
二値化処理では次に、ワイヤ放電加工装置１は取得されているワーク画像毎に、複数箇所の加工溝の加工状況にそれぞれ相当するパルス波形中の波形間隔に間隔差（Ｘ軸のピーク間隔）を生成する（波形間隔生成手段）。
【００８８】
ステップＳ２０２では、ワイヤ放電加工装置１はＳ２０１で二値化処理したパルス波形を解析する。つまりワイヤ放電加工装置１は複数箇所の加工溝の加工状況が略均一であるかいなかを判断するために、取得されているワーク画像毎に略均一であるかいなかを判断可能な情報を解析したパルス波形から検出する（画像解析手段）。
【００８９】
このようにステップＳ２０１及びステップＳ２０２では取得されたワークの画像から、複数箇所の加工溝毎の加工状況にそれぞれ相当させた波形強度でパルス波形を生成し、加工状況の進行度に基づいた強度差を解析している。さらにステップＳ２０１及びステップＳ２０２では取得されたワークの画像から、複数箇所の加工溝毎の加工状況にそれぞれ相当させた波形間隔でパルス波形を生成し、前記加工状況の進行度に基づいた間隔差も解析している。
【００９０】
ステップＳ２０３では、ワイヤ放電加工装置１は正常なパルス波形と比較し、正常なパルス波形と同じ高さ（Ｙ軸）のピーク数が所定数よりも少ないかいなかを判断する。少ないと判断（≠）した場合にはＳ２０４に進む。同じと判断（＝）した場合にはＳ２０５に進む（判断手段）。つまりワイヤ放電加工装置１はＳ２０１で生成された波形強度の高低差が所定条件を満たしたと判断した場合には、Ｓ２０３では複数箇所の加工溝の加工状況がワークの移動する方向に略均一ではないと判断すべき情報として検出している。つまりここでは、取得した画像に含まれる複数箇所の加工溝の並び方に基づいて、並設されたワイヤの間隔のまま放電加工が進行しているか否かを判断している。
【００９１】
ここではさらに、解析された強度差に基づいて、取得した画像に含まれる複数箇所の加工溝の並び方はワークが移動する方向に均一であるか否かを検出している（加工遅れ検出手段）。ここでの（≠）または（＝）の判断は加工遅れの検出による結果を用いて判断している。
【００９２】
ステップＳ２０４では、ワイヤ放電加工装置１は図９のような加工遅れが発生していると判定する。ここでステップＳ２０４において監視領域の一部もしくは全部に放電の異常や部分的な加工の遅れを感知した場合には、パルス電源及びワイヤソーに対して加工異常の情報を通知して図１１のステップＳ１０３またはステップＳ１０４にて必要な対応を行う例えば、操作パネルに異常を表示したり、ブザーで通知したり、加工が遅れた分のワークを戻したり、加工条件を部分的な遅れを緩和する設定に自動的に変更したり、ワイヤ電極の張力を調整したりする。
なおここでパルス電源とは電源装置２内部の加工電源部５０１、５０２によるパルス電圧の設定値を制御するためのパルス電圧の制御部（図示しない）である。
なおここでワイヤソーとはワイヤ放電加工装置1内部のメインローラ８、９によるワイヤ走行スピードの設定値を制御するための走行スピードの制御部（図示しない）である。
なおここでワイヤソーとはワイヤ放電加工装置1内部のワーク送り装置３によるサーボ電圧の設定値を制御するためのサーボ電圧の制御部（図示しない）である。
【００９３】
つまりワイヤ放電加工装置１はＳ２０２で略均一ではないと判断すべき情報が検出された場合には、複数本のワイヤによるワーク１０５の加工に関連するワイヤ放電加工装置何れかの動作を停止または抑制するように制御する（動作制御手段）。ステップＳ２０３で進行していない（≠）と判断される場合には、進行していると判断される場合（＝）の放電加工の進行に関連する動作を停止または抑制するように制御している。
【００９４】
ステップＳ２０５では、ワイヤ放電加工装置１は正常な（または一定時間前に解析済みの）パルス波形と比較し、正常なパルス波形と同じ位置（Ｘ軸）のピーク座標が所定位置よりもずれているかいなかを判断する。比較するパルス波形は予め記憶させていた基準のパルス波形でも良い。ずれていると判断（≠）した場合にはＳ２０６に進む。同じ位置であると判断（＝）した場合にはＳ２０７に進む（判断手段）。つまりワイヤ放電加工装置１はＳ２０１で生成された波形間隔の間隔差が所定条件を満たしたと判断した場合には、Ｓ２０５では複数箇所の加工溝の加工状況がワイヤの振動する方向に略均一ではないと判断すべき情報として検出している。
【００９５】
つまりここでも、取得した画像に含まれる複数箇所の加工溝の並び方に基づいて、並設されたワイヤの間隔のまま放電加工が進行しているか否かを判断している。
【００９６】
ここではさらに、解析された間隔差に基づいて、取得した画像に含まれる複数箇所の加工溝の並び方はワイヤが振動する方向に均一であるか否かを検出している（加工ぶれ検出手段）。ここでの（≠）または（＝）の判断は加工ぶれの検出による結果を用いて判断している。
【００９７】
ステップＳ２０６では、ワイヤ放電加工装置１は図１０のようなワイヤぶれが発生していると判定する。ここでステップＳ２０６において監視領域の一部もしくは全部に放電の異常や部分的なワイヤのぶれを感知した場合には、パルス電源及びワイヤソーに対して加工異常の情報を通知して図１１のステップＳ１０３またはステップＳ１０４にて必要な対応を行う。例えば、操作パネルに異常を表示したり、ブザーで通知したり、加工が遅れた分のワークを戻したり、加工条件を部分的な遅れを緩和する設定に自動的に変更したり、ワイヤ電極の張力を調整したりする。
【００９８】
つまりワイヤ放電加工装置１はＳ２０２で略均一ではないと判断すべき情報が検出された場合には、複数本のワイヤによるワーク１０５の加工に関連するワイヤ放電加工装置何れかの動作を停止または抑制するように制御する（動作制御手段）。ステップＳ２０５で進行していない（≠）と判断される場合には、進行していると判断される場合（＝）の放電加工の進行に関連する動作を停止または抑制するように制御している。
ステップＳ２０７では、ワイヤ放電加工装置１は図８のように正常に加工が進んでいると判定し、加工処理をそのまま継続し、さらに監視も継続する。
ステップＳ２０８では、ワイヤ放電加工装置１は監視（画像解析）を終了する。
【００９９】
また、撮像／受光素子を一次元方向に多数の受光素子を並べたラインセンサとした場合にはさらに簡易的に放電加工状態を観察できる。解析（画像処理）システムはラインセンサから入手したデータを即時に解析するが、元の情報は画像ではなくライン上に並んだ各受光素子が受けた放電の強さによる光量の情報のため、個々の受光素子の光量を、あらかじめ記憶している正常状態の光量を基準値として比較して、基準値より光量が少ない場合は放電が異常と判断する。
図１３を説明する。図１３は、ワイヤ放電加工装置１が内蔵する制御コンピュータ１０００のハードウエア構成図である。
なお、制御コンピュータ１０００をワイヤ放電加工装置１の外部に別体で設けてもよい。
【０１００】
図１３において、ＭＰＵ（ＣＰＵ）１００１は、システムバス１００４に接続される各デバイスやコントローラを統括的に制御する。また、ＲＯＭ１００２あるいは外部メモリ１０１１には、ＣＰＵ１００１の制御プログラムであるＢＩＯＳ（Ｂａｓｉｃ  Ｉｎｐｕｔ  ／  Ｏｕｔｐｕｔ  Ｓｙｓｔｅｍ）やオペレーティングシステムプログラム（以下、ＯＳ）や、各サーバ或いは各ＰＣの実行する機能を実現するために必要な後述する各種プログラム等が記憶されている。
【０１０１】
ＲＡＭ１００３は、ＣＰＵ１００１の主メモリ、ワークエリア等として機能する。ＣＰＵ１００１は、処理の実行に際して必要なプログラム等をＲＯＭ１００２あるいは外部メモリ１０１１からＲＡＭ１００３にロードして、該ロードしたプログラムを実行することで各種動作を実現するものである。
【０１０２】
入力コントローラ１００５は、キーボード（ＫＢ）１００９や不図示のマウス等のポインティングデバイス等からの入力を制御する。ビデオコントローラ１００６は、表示部１０１０への表示を制御する。なお、表示部１０１０はＣＲＴだけでなく、液晶ディスプレイ等の他の表示器であってもよい。これらは必要に応じて管理者が使用するものである。また表示部は指やペン等にてユーザが表示画面内の対象位置を指定するタッチパネル機能を含むものであってもよい。
【０１０３】
メモリコントローラ１００７は、ブートプログラム，各種のアプリケーション，フォントデータ，ユーザファイル，編集ファイル，各種データ等を記憶するハードディスク（ＨＤ）や、フレキシブルディスク（ＦＤ）、或いはＰＣＭＣＩＡカードスロットにアダプタを介して接続されるコンパクトフラッシュ（登録商標）メモリ等の外部メモリ１０１１へのアクセスを制御する。
【０１０４】
通信Ｉ／Ｆコントローラ１００８は、ＬＡＮ１０１２またはＷＡＮなどの、ネットワーク（通信回線）を介して外部装置と接続・通信するものであり、ネットワークでの通信制御処理を実行する。例えば、ＴＣＰ／ＩＰを用いた通信等が可能である。
【０１０５】
なお、ＣＰＵ１００１は、例えばＲＡＭ１００３内の表示情報用領域へアウトラインフォントの展開（ラスタライズ）処理を実行することにより、表示部１０１０上での表示を可能としている。また、ＣＰＵ１００１は、ＣＲＴ上の不図示のマウスカーソル等でのユーザ指示を可能とする。
【０１０６】
本発明を実現するための後述する各種プログラムは、外部メモリ１０１１に記録されており、必要に応じてＲＡＭ１００３にロードされることによりＣＰＵ１００１によって実行されるものである。さらに、上記プログラムの実行時に用いられるデータファイル及びデータテーブル等も、外部メモリ１０１１または記憶部に格納されている。
【０１０７】
また、本発明におけるプログラムは、ワイヤ放電加工方法に従ったワイヤ放電加工動作を制御コンピュータ１０００が実行可能なプログラムであり、本発明の記憶媒体はワイヤ放電加工動作を実行可能なプログラムとして記憶している。
（本発明の他の実施形態）
【０１０８】
以上のように、前述した実施形態の機能を実現するプログラムを記録した記録媒体を、ワイヤ放電加工装置１に供給し、そのシステムあるいはワイヤ放電加工装置内のコンピュータ（またはＣＰＵやＭＰＵ）が非一時的なコンピュータ読み取り可能な記録媒体に格納されたプログラムを読出し実行することによっても、本発明の目的が達成されることは言うまでもない。
【０１０９】
この場合、記録媒体から読み出されたプログラム自体が本発明の新規な機能を実現することになり、そのプログラムを記憶した非一時的なコンピュータ読み取り可能な記録媒体は本発明を構成することになる。
【０１１０】
プログラムを供給するための記録媒体としては、例えば、フレキシブルディスク，ハードディスク，光ディスク，光磁気ディスク，ＣＤ−ＲＯＭ，ＣＤ−Ｒ，ＤＶＤ−ＲＯＭ， ＢＤ−ＲＯＭ、磁気テープ，不揮発性のメモリカード，ＲＯＭ，ＥＥＰＲＯＭ，シリコンディスク等を用いることができる。
【０１１１】
また、読み出したプログラムを実行することにより、前述した実施形態の機能が実現されるだけでなく、そのプログラムの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１１２】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１１３】
また、本発明は、複数の機器から構成されるワイヤ放電加工システムに適用しても、１つの機器からなるワイヤ放電加工装置に適用してもよい。また、本発明は、ワイヤ放電加工システムあるいはワイヤ放電加工装置にプログラムを供給することによって達成される場合にも適応できることは言うまでもない。この場合、本発明を達成するためのプログラムを格納した記録媒体を該システムあるいは装置に読み出すことによって、そのワイヤ放電加工システムあるいはワイヤ放電加工装置が、本発明の効果を享受することが可能となる。
【０１１４】
さらに、本発明を達成するためのプログラムをネットワーク上のサーバ，データベース等から通信プログラムによりダウンロードして読み出すことによって、そのシステムあるいは装置が、本発明の効果を享受することが可能となる。
なお、上述した各実施形態およびその変形例を組み合わせた構成も全て本発明に含まれるものである。
図１４を説明する。図１４は、従来方式である、ワイヤ毎に個別に加工電圧を給電する個別給電方式での電気回路４００とワイヤ放電加工装置４０００を示す。
【０１１５】
加工電源部４０１は加工電圧Ｖｍを供給する。ここでＶｍは放電加工に必要な電流を供給するために設定される加工電圧である。Ｖｍは６０Ｖ〜１５０Ｖで任意の加工電圧に設定することができる。
【０１１６】
加工電源部４０２は誘発電圧Ｖｓを供給する。ここでＶｓは放電を誘発するために設定される誘発電圧である。加工電源部４０２は、さらにワイヤとワークとの間の極間での電圧（放電電流）の状態をモニターする目的にも使用される。Ｖｓは６０Ｖ〜３００Ｖで任意の誘発電圧に設定することができる。
【０１１７】
トランジスタ（Ｔｒ２）４０３は、加工電圧ＶｍのＯＮ（導通）状態とＯＦＦ（非導通）状態をスイッチングで切り替える。トランジスタ（Ｔｒ１）４０４は、誘発電圧ＶｓのＯＮ（導通）状態とＯＦＦ（非導通）状態をスイッチングで切り替える。
【０１１８】
電流制限抵抗体を用いて固定の抵抗値（Ｒｍ）４０５を設定することで、１本毎のワイヤ電流（Ｉｗ）や極間での放電電流（Ｉｇ）を制限する。Ｒｍは１Ω〜１００Ωで任意の抵抗値に設定することができる。つまりＶｍ＝６０Ｖ（ボルト）、Ｖｇ＝３０Ｖ、Ｒｍ＝１０Ωとした場合で、Ｉｗ（Ｉｇ）＝（６０Ｖ−３０Ｖ）／１０Ω＝３Ａ（アンペア）となる。
【０１１９】
なお、上記の計算式では、加工電源（Ｖｍ）から給電点（給電子）までの電圧降下を３０Ｖとしたが、ワイヤ抵抗（Ｒｗ）による給電点から放電点までの電圧降下は考慮していない。
【０１２０】
つまり従来方式である個別給電方式の場合には加工電流Ｉｗの値は、電流制限抵抗体の抵抗Ｒｍにより決定されるので、１本毎に所望のワイヤ電流や放電電流（Ｉｇ）を得るためには、ワイヤ抵抗ＲｗがＲｍ＞Ｒｗの関係になるように設定される。
【０１２１】
電流制限抵抗体を用いて固定の抵抗値（Ｒｓ）４０６を設定することで放電を誘発する誘発電流を制限する。Ｒｓは１Ω〜１００Ωで任意の抵抗値に設定することができる。
【０１２２】
放電電圧（Ｖｇ）４０７は、放電中にワイヤ１０３とワーク１０５との間（極間）に印加される極間での放電電圧である。放電電流（Ｉｇ）４０８は、放電中にワイヤ１０３とワーク１０５との間に流れる極間での放電電流である。加工電流（Ｉｗ）４１０はワイヤ１本毎に個別に供給される。
図１５を説明する。図１５は、本発明の加工遅れ発生時の電源装置２の対応処理を示すフローチャートである。
ステップＳ３０１では、ワイヤ放電加工装置１はパルス電源のサーボ制御パラメータを変更する。
ステップＳ３０２では、ワイヤ放電加工装置１は図８のように正常に加工が進んでいると判定し、加工処理をそのまま継続し、さらに監視も継続する。
【０１２３】
ステップＳ３０３では、ワイヤ放電加工装置１はステップＳ２０３で並設されたワイヤの間隔のまま放電加工が進行していないと判断してから所定時間（例えば１０分後）経過したかを判断し、所定時間経過したあとのワークの画像を取得する。
【０１２４】
ステップＳ３０４では、ワイヤ放電加工装置１は所定時間経過したあとに取得した画像を用いて、並設されたワイヤの間隔のまま放電加工が進行しているか否かを再度解析する（再解析手段）。
【０１２５】
ステップＳ３０５では、ワイヤ放電加工装置１はステップＳ３０４で再度解析した結果に基づいて、ワイヤの間隔のまま放電加工が進行していないことによる加工不良が回復しているか否かを判断する（回復判断手段）。
【０１２６】
ステップＳ３０６では、ワイヤ放電加工装置１はステップＳ３０５で回復していると判断した場合には、動作制御手段により停止または抑制するように制御した放電加工の進行に関連する動作を正常復帰している。回復した場合にはステップＳ３０１で変更していたパラメータを元に戻している。
ステップＳ３０７では、ワイヤ放電加工装置１は図８のように正常に加工が進んでいると判定し、加工処理をそのまま継続し、さらに監視も継続する。
【０１２７】
ステップＳ３０８では、ワイヤ放電加工装置１はステップＳ３０５で回復していないと判断した場合には、ステップＳ２０４で停止または抑制するように制御した放電加工の進行に関連する動作を異なる制御種別に切り替える。ワイヤ放電加工装置１は放電を一時停止してからワーク位置を後退させる。
ステップＳ３０９では、ワイヤ放電加工装置１は放電間隙を確保させてから加工を再開する。
ステップＳ３１０では、ワイヤ放電加工装置１は所定時間（例えば１０分後）経過したかを判断し、所定時間経過したあとのワークの画像を取得する。
【０１２８】
ステップＳ３１１では、ワイヤ放電加工装置１はステップＳ３０５とはワイヤの間隔のまま放電加工が進行していないことによる加工不良が回復しているか否かを判断するための複数の異なる加工不良レベル（加工不良大）が管理されている。
【０１２９】
ステップＳ３１２では、ワイヤ放電加工装置１はＳ３１１で再度解析した結果に基づいて、ワイヤの間隔のまま放電加工が進行していないことによる加工不良が回復しているか否かを判断する（第２の回復判断手段）。
【０１３０】
ステップＳ３１３では、ワイヤ放電加工装置１は異なる加工不良レベルに応じて動作制御手段が放電加工の進行に関連する動作を停止または抑制するように制御する制御種別を切り替えている。ワイヤ放電加工装置１は警報を通知する。
ステップＳ３１４では、ワイヤ放電加工装置１は放電加工を中止する。
図１６を説明する。図１６は、本発明の加工ぶれ発生時のワイヤ放電加工装置１の対応処理を示すフローチャートである。
【０１３１】
ステップＳ４０１では、ワイヤ放電加工装置１は加工ぶれの主たる原因は、ワイヤ走行状態の制御不良であることが多いので、加工ぶれが検知された場合には、ワイヤ走行スピードおよび（または）ワイヤテンションを変更する。
ステップＳ４０２では、ワイヤ放電加工装置１は図８のように正常に加工が進んでいると判定し、加工処理をそのまま継続し、さらに監視も継続する。
【０１３２】
ステップＳ４０３では、ワイヤ放電加工装置１はステップＳ２０５で並設されたワイヤの間隔のまま放電加工が進行していないと判断してから所定時間（例えば１０分後）経過したかを判断し、所定時間経過したあとのワークの画像を取得する。
【０１３３】
ステップＳ４０４では、ワイヤ放電加工装置１は所定時間経過したあとに取得した画像を用いて、並設されたワイヤの間隔のまま放電加工が進行しているか否かを再度解析する（再解析手段）。
【０１３４】
ステップＳ４０５では、ワイヤ放電加工装置１はステップＳ４０４で再度解析した結果に基づいて、ワイヤの間隔のまま放電加工が進行していないことによる加工不良が回復しているか否かを判断する。
【０１３５】
ステップＳ４０６では、ワイヤ放電加工装置１は回復した場合にはステップＳ４０１にて変更していたワイヤ走行スピードおよび（または）ワイヤテンションを元に戻す。
ステップＳ４０７では、ワイヤ放電加工装置１は図８のように正常に加工が進んでいると判定し、加工処理をそのまま継続し、さらに監視も継続する。
ステップＳ４０８では、ワイヤ放電加工装置１は警報を通知する。
ステップＳ４０９では、ワイヤ放電加工装置１は放電加工を中止する。
【符号の説明】
【０１３６】
１      ワイヤ放電加工装置
２      電源装置
３      ワーク送り装置
１０    給電子ユニット
１０３  ワイヤ電極
１０４  給電子（一括）
１０５  ワーク（シリコンインゴット）
２０４  給電子（個別）
９０１  監視カメラ
【図１】
0005839086.tif 000002
【図２】
0005839086.tif 000003
【図３】
0005839086.tif 000004
【図４】
0005839086.tif 000005
【図５】
0005839086.tif 000006
【図６】
0005839086.tif 000007
【図７】
0005839086.tif 000008
【図８】
0005839086.tif 000009
【図９】
0005839086.tif 000010
【図１０】
0005839086.tif 000011
【図１１】
0005839086.tif 000012
【図１２】
0005839086.tif 000013
【図１３】
0005839086.tif 000014
【図１４】
0005839086.tif 000015
【図１５】
0005839086.tif 000016
【図１６】
0005839086.tif 000017